(57)【特許請求の範囲】
【請求項１】
高圧負荷変動を抑制する高圧コンデンサと高圧負荷変動を検出する抵抗をもったフライバックトランスと、前記抵抗における周波数特性をコントロールする周波数特性コントロールコンデンサと、前記フライバックトランスから出力された電圧をＣＲＴスペックの高圧値に調整する高圧調整手段と、前記高圧調整手段から出力される電圧と基準電圧とを比較し、差電圧を検出、増幅する差電圧検出手段と、テレビセットの電源ＯＮタイミングを監視する電源ＯＮタイミング監視手段と、差電圧検出手段の出力電圧を記録しており前記電源ＯＮタイミング監視手段から電源ＯＮ信号が入力されると前記記憶された出力電圧を出力する差電圧信号監視手段と、前記差電圧検出手段から増幅された電圧および前記差電圧信号監視手段から出力された電圧を入力し、安定した高圧を出力する高圧安定化制御手段とで構成したことを特徴とするテレビジョン受信機の高圧安定化装置。
【請求項２】
高圧負荷変動を抑制する高圧コンデンサと高圧負荷変動を検出する抵抗をもったフライバックトランスと、前記抵抗における周波数特性をコントロールする周波数特性コントロールコンデンサと、前記フライバックトランスから出力された電圧をＣＲＴスペックの高圧値に調整する高圧調整手段と、テレビセットの電源ＯＮタイミングを監視する電源ＯＮタイミング監視手段と、電源ＯＮ信号が入力さたときに基準電圧をゼロ電圧にする可変基準電圧手段と、前記高圧調整手段から出力される電圧と前記可変基準電源手段からの電圧とを、比較し、差電圧を検出、増幅する差電圧検出手段と、前記差電圧検出手段から出力された電圧を入力し、安定した高圧を出力する高圧安定化制御手段とで構成したことを特徴とするテレビジョン受信機の高圧安定化装置。
【請求項３】
高圧負荷変動を抑制する高圧コンデンサと高圧負荷変動を検出する抵抗をもったフライバックトランスと、前記抵抗における周波数特性をコントロールする周波数特性コントロールコンデンサと、前記フライバックトランスから出力された電圧をＣＲＴスペックの高圧値に調整する高圧調整手段と、テレビセットの電源ＯＮタイミングを監視する電源ＯＮタイミング監視手段と、前記電源ＯＮタイミング監視手段から電源ＯＮ信号が入力されると前記高圧調整手段の出力電圧を基準電圧よりも高くコントロールする高圧調整コントロール手段と、前記高圧調整手段から出力される電圧と基準電圧とを比較し、差電圧を検出、増幅する差電圧検出手段と、前記差電圧検出手段から増幅された電圧を入力し、安定した高圧を出力する高圧安定化制御手段とで構成したことを特徴とするテレビジョン受信機の高圧安定化装置。
【発明の詳細な説明】
【０００１】
【発明の属する技術分野】
本発明は、テレビジョン受信機の高圧発生回路に関するものである。
【０００２】
【従来の技術】
従来、テレビジョン受信機の高圧発生回路における高圧安定化回路は、高圧負荷変動を抑制する高圧コンデンサは、ＣＲＴのアノード対グランド間に挿入され、高圧負荷変動を抵抗分割により検出し、基準電源の電圧と比較し、差電圧を増幅し、その信号によって、高圧安定化制御回路を、コントロールすることにより、実現している。
例えば、公開特平１−３１６０７１号公報などの回路構成などにより、提案されている。
【０００３】
【発明が解決しようとする課題】
しかしながら、このような従来の高圧負荷変動を抑制する高圧コンデンサを、ＣＲＴのアノード対グランド間に挿入し、高圧負荷変動を抵抗分割により検出する方法では、高圧負荷変動を検出する抵抗は、ＦＢＴ内蔵されており、検出抵抗の浮遊容量の影響などで、
高圧負荷変動に同期した電圧が、検出されず、その為、高圧安定化性能を悪化させ、また上記高圧負荷変動検出電圧は、偏向振幅補正にも使用され、適切な高圧変動による振幅補正ができない。よって、検出抵抗の浮遊容量の影響を無くす為に、高圧負荷変動を抑制する高圧コンデンサを、ＣＲＴのアノード対検出電圧取り出し口間に挿入し、さらに、検出電圧取り出し口対グランド間に周波数に依存しないように容量値を決め、コンデンサを挿入する。
【０００４】
しかしながら高圧安定化性能は、改善されるが、テレビセットの電源ＯＮ時に、高圧コンデンサと上記追加コンデンサと、高圧負荷変動検出抵抗との時定数の関係で、高圧コンデンサと上記追加コンデンサと、高圧負荷変動検出抵抗の部品ばらつきにより、高圧安定化が働かず、高圧値が急激に上昇し、各種部品のスペックをオーバーし、破壊に至り、ＣＲＴのＸ線リミットカーブをオーバーしてしまうという問題点を有していた。
【０００５】
【課題を解決するための手段】
これらの課題を解決する為に、本発明のテレビジョン受信機の高圧安定化装置は、フライバックトランス（ＦＢＴ）内部に高圧負荷変動を抑制する高圧コンデンサと高圧負荷変動を検出する手段と、該高圧変動を検出する手段における周波数特性をコントロールするコンデンサと、ＣＲＴスペックの高圧値に調整する高圧調整手段と、該高圧調整手段から出力される電圧と基準電源装置と、比較し、差電圧を検出、増幅する手段と、テレビセットの電源ＯＮタイミングを監視する手段と、上記検出、増幅された信号を監視し、上記電源ＯＮタイミングを監視する手段により高圧安定化制御装置を駆動する手段をコントロールする手段と、高圧安定化制御装置を駆動する手段とで構成したことを特徴としたものである。
【０００６】
本発明によれば、高圧負荷変動に同期した検出波形を得る事が出来、かつ、電源ＯＮ時に、高圧調整値以上の急激な高圧上昇を防ぎ、各種部品の信頼性及び、ＣＲＴからのＸ線出力を防止することを特徴とするテレビジョン受信機の高圧安定化装置を提供できる。
【０００７】
【発明の実施の形態】
本発明の請求項１に記載の発明は、高圧安定化装置を持つテレビジョン受信機において、電源ＯＮ時に、高圧調整値以上の急激な高圧上昇を防ぎ、各種部品の信頼性及び、ＣＲＴからのＸ線出力を防止することを特徴とするテレビジョン受信機の高圧安定化装置であり、高圧負荷変動に同期した検出波形を得る事が出来、かつ、電源ＯＮ時に、高圧調整値以上の急激な高圧上昇を防ぎ、各種部品の信頼性及び、ＣＲＴからのＸ線出力を防止することが出来るという作用を有する。
【０００８】
次に、請求項２に記載の発明は、フライバックトランス（ＦＢＴ）内部に高圧負荷変動を抑制する高圧コンデンサと高圧負荷変動を検出する手段と、該高圧変動を検出する手段における周波数特性をコントロールするコンデンサと、ＣＲＴスペックの高圧値に調整する高圧調整手段と、該高圧調整手段から出力される電圧と基準電源装置と、比較し、差電圧を検出、増幅する手段と、テレビセットの電源ＯＮタイミングを監視する手段と、上記検出、増幅された信号を監視し、上記電源ＯＮタイミングを監視する手段により高圧安定化制御装置を駆動する手段をコントロールする手段と、高圧安定化制御装置を駆動する手段とで構成したことを特徴とするテレビジョン受信機の高圧安定化装置であり、高圧負荷変動に同期した検出波形を得る事が出来、かつ、電源ＯＮ時に、高圧調整値以上の急激な高圧上昇を防ぎ、各種部品の信頼性及び、ＣＲＴからのＸ線出力を防止することが出来るという作用を有する。
【０００９】
次に、請求項３に記載の発明は、フライバックトランス（ＦＢＴ）内部に高圧負荷変動を抑制する高圧コンデンサと高圧負荷変動を検出する手段と、該高圧変動を検出する手段における周波数特性をコントロールするコンデンサと、テレビセットの電源ＯＮタイミングを監視する手段と、該電源ＯＮタイミングを監視する手段により基準電源を可変させる手段と、ＣＲＴスペックの高圧値に調整する高圧調整手段と、該高圧調整手段から出力される電圧と上記可変基準電源手段からの電圧とを、比較し、差電圧を検出、増幅する手段と、高圧安定化制御装置を駆動する手段とで構成したことを特徴とするテレビジョン受信機の高圧安定化装置であり、高圧負荷変動に同期した検出波形を得る事が出来、かつ、電源ＯＮ時に、高圧調整値以上の急激な高圧上昇を防ぎ、各種部品の信頼性及び、ＣＲＴからのＸ線出力を防止することが出来るという作用を有する。
【００１０】
次に、請求項４に記載の発明は、フライバックトランス（ＦＢＴ）内部に高圧負荷変動を抑制する高圧コンデンサと高圧負荷変動を検出する手段と、該高圧変動を検出する手段における周波数特性をコントロールするコンデンサと、ＣＲＴスペックの高圧値に調整する高圧調整手段と、テレビセットの電源ＯＮタイミングを監視する手段と、該電源ＯＮタイミングを監視する手段により上記高圧調整手段をコントロールする手段と、上記高圧調整手段から出力される電圧と基準電源装置と、比較し、差電圧を検出、増幅する手段と、高圧安定化制御装置を駆動する手段とで構成したことを特徴とするテレビジョン受信機の高圧安定化装置であり、高圧負荷変動に同期した検出波形を得る事が出来、かつ、電源ＯＮ時に、高圧調整値以上の急激な高圧上昇を防ぎ、各種部品の信頼性及び、ＣＲＴからのＸ線出力を防止することが出来るという作用を有する。
以下、本発明の実施の形態について、図１から図３を用いて説明する。
【００１１】
（実施の形態１）
図１は、本発明の一実施の形態におけるテレビジョン受信機の高圧安定化装置のブロック構成図である。
【００１２】
図１において、符号１は高圧ドライブ装置である。符号２は高圧出力トランジスタである。符号３はダンパーダイオードである。符号４は共振コンデンサである。符号５は高圧安定化用コンデンサである。符号６は高圧安定化制御装置である。符号７は高圧パラレルチョークトランスである。符号８はフライバックトランス（ＦＢＴ）である。符号９は高圧コンデンサである。符号１０は高圧変動検出用上側抵抗である。符号１１は高圧変動検出用下側抵抗である。符号１２は周波数特性コントロールコンデンサである。符号１３はインピーダンス変換装置である。符号１４は高圧値調整装置である。符号１５は誤差検出装置である。符号１６は基準電源装置である。符号１７は誤差電圧信号監視装置である。符号１８は高圧安定化制御装置駆動装置である。符号１９は電源ＯＮタイミング監視装置である。２０は可変基準電源装置である。次に図１を用いてその動作を説明する。
【００１３】
高圧出力トランジスタ２のスイッチング機能を利用し、共振コンデンサ４とＦＢＴ１次側Ｌ値および、高圧パラレルチョークトランス７との共振で、フライバックパルスを作り出し、ＦＢＴ２次側へエネルギーを供給し、ＣＲＴに必要な高圧電圧を作り出している。
【００１４】
高圧の負荷変動による、高圧の増減を安定にするため、高圧変動検出用上側抵抗１０と、高圧変動検出用下側抵抗１１との中点から取り出し、インピーダンス変換装置１３入力する。その際、高圧コンデンサ９×高圧変動検出用上側抵抗１０＝周波数特性コントロールコンデンサ１２×高圧変動検出用下側抵抗１１の状態が、周波数に依存する事なく、高圧変動に同期した検出電圧を取り出す事が出来るが、高圧コンデンサ９、高圧変動検出用上側抵抗１０、周波数特性コントロールコンデンサ１２、高圧変動検出用下側抵抗１１の部品ばらつきにより、高圧コンデンサ９×高圧変動検出用上側抵抗１０＜周波数特性コントロールコンデンサ１２×高圧変動検出用下側抵抗１１の状態になると、テレビセットの電源ＯＮ時に、高圧値が急激に上昇し、各種部品のスペックをオーバーし、破壊に至り、ＣＲＴのＸ線リミットカーブをオーバーしてしまうという問題点が発生する。
【００１５】
つぎに、インピーダンス変換装置１３からの出力は、ＣＲＴスペックの高圧値に調整されるべく、高圧調整装置１４に入力され、ＣＲＴスペックの高圧値になる電圧を出力し、誤差検出装置１５に入力する。基準電源装置１６の電圧と高圧値調整装置１４からの出力電圧とを、誤差検出装置１５で、比較し、差電圧を増幅し、高圧安定化制御装置駆動装置１８に入力し、上記装置によって、高圧安定化装置６が働き、高圧安定化用コンデンサ５に流れる電流を制御し、常に、ＣＲＴスペックの高圧値になるよう、高圧安定化ループが働く。しかしながら、テレビセットの電源ＯＮ時においては、電源ＯＮタイミング監視装置１９によって、テレビセットの電源ＯＮを監視しており、電源ＯＮによって、電源ＯＮタイミング監視装置１９より、電源ＯＮ信号が出力され、誤差電圧信号監視装置１７に入力される。
【００１６】
誤差電圧信号監視装置１７は、ＣＲＴスペックの高圧値になる、調整時の誤差検出装置15の出力電圧を記憶しており、電源ＯＮ信号が入力されると、高圧安定化ループが働く前に、記憶している出力電圧を出力し、高圧安定化制御装置駆動装置１８に入力し、ＣＲＴスペックの高圧値にすぐさま安定するように動作する。上記システムのような、電源ＯＮ時のシーケンスを行うことにより、高圧コンデンサ９、高圧変動検出用上側抵抗１０、周波数特性コントロールコンデンサ１２、高圧変動検出用下側抵抗１１の部品ばらつきにより、テレビセットの電源ＯＮ時に、高圧値が急激に上昇し、各種部品のスペックをオーバーし、破壊に至り、ＣＲＴのＸ線リミットカーブをオーバーしてしまうことがなく、高圧負荷変動に同期した検出波形を得る事が出来、かつ、電源ＯＮ時に、高圧調整値以上の急激な高圧上昇を防ぎ、各種部品の信頼性及び、ＣＲＴからのＸ線出力を防止することが出来るテレビジョン受信機の高圧安定化装置を常に実現することができる。
【００１７】
（実施の形態２）
図２は、本発明の一実施の形態におけるテレビジョン受信機の高圧安定化装置のブロック構成図である。
【００１８】
図２において、符号１は高圧ドライブ装置である。符号２は高圧出力トランジスタである。符号３はダンパーダイオードである。符号４は共振コンデンサである。符号５は高圧安定化用コンデンサである。符号６は高圧安定化制御装置である。符号７は高圧パラレルチョークトランスである。符号８はフライバックトランス（ＦＢＴ）である。符号９は高圧コンデンサである。符号１０は高圧変動検出用上側抵抗である。符号１１は高圧変動検出用下側抵抗である。符号１２は周波数特性コントロールコンデンサである。符号１３はインピーダンス変換装置である。符号１４は高圧値調整装置である。符号１５は誤差検出装置である。符号１８は高圧安定化制御装置駆動装置である。符号１９は電源ＯＮタイミング監視装置である。次に図２を用いてその動作を説明する。
【００１９】
高圧出力トランジスタ２のスイッチング機能を利用し、共振コンデンサ４とＦＢＴ１次側Ｌ値および、高圧パラレルチョークトランス７との共振で、フライバックパルスを作り出し、ＦＢＴ２次側へエネルギーを供給し、ＣＲＴに必要な高圧電圧を作り出している。
【００２０】
高圧の負荷変動による、高圧の増減を安定にするため、高圧変動検出用上側抵抗１０と、高圧変動検出用下側抵抗１１との中点から取り出し、インピーダンス変換装置１３入力する。その際、高圧コンデンサ９×高圧変動検出用上側抵抗１０＝周波数特性コントロールコンデンサ１２×高圧変動検出用下側抵抗１１の状態が、周波数に依存する事なく、高圧変動に同期した検出電圧を取り出す事が出来るが、高圧コンデンサ９、高圧変動検出用上側抵抗１０、周波数特性コントロールコンデンサ１２、高圧変動検出用下側抵抗１１の部品ばらつきにより、高圧コンデンサ９×高圧変動検出用上側抵抗１０＜周波数特性コントロールコンデンサ１２×高圧変動検出用下側抵抗１１の状態になると、テレビセットの電源ＯＮ時に、高圧値が急激に上昇し、各種部品のスペックをオーバーし、破壊に至り、ＣＲＴのＸ線リミットカーブをオーバーしてしまうという問題点が発生する。
【００２１】
つぎに、インピーダンス変換装置１３からの出力は、ＣＲＴスペックの高圧値に調整されるべく、高圧調整装置１４に入力され、ＣＲＴスペックの高圧値になる電圧を出力し、誤差検出装置１５に入力する。可変基準電源装置２０の電圧と高圧値調整装置１４からの出力電圧とを、誤差検出装置１５で、比較し、差電圧を増幅し、高圧安定化制御装置駆動装置１８に入力し、上記装置によって、高圧安定化装置６が働き、高圧安定化用コンデンサ５に流れる電流を制御し、常に、ＣＲＴスペックの高圧値になるよう、高圧安定化ループが働く。
しかしながら、テレビセットの電源ＯＮ時においては、電源ＯＮタイミング監視装置１９によって、テレビセットの電源ＯＮを監視しており、電源ＯＮによって、電源ＯＮタイミング監視装置１９より、電源ＯＮ信号が出力され、可変基準電源装置２０に入力される。可変基準電源装置２０は、電源ＯＮ信号が入力されると、高圧安定化ループが働く前に、ゼロ電圧を出力する。
【００２２】
誤差検出装置１５は、高圧値調整装置１４から出力される電圧と、可変基準電源装置２０から出力されるゼロ電圧と比較し、可変基準電源装置２０から出力されるゼロ電圧が低いために、高圧が高い状態だと認識し、高圧安定化制御装置駆動装置１８に高圧を減少させる電圧を入力し、高圧値が急激に上昇するのを防ぐ。上記システムのような、電源ＯＮ時のシーケンスを行うことにより、高圧コンデンサ９、高圧変動検出用上側抵抗１０、周波数特性コントロールコンデンサ１２、高圧変動検出用下側抵抗１１の部品ばらつきにより、テレビセットの電源ＯＮ時に、高圧値が急激に上昇し、各種部品のスペックをオーバーし、破壊に至り、ＣＲＴのＸ線リミットカーブをオーバーしてしまうことがなく、高圧負荷変動に同期した検出波形を得る事が出来、かつ、電源ＯＮ時に、高圧調整値以上の急激な高圧上昇を防ぎ、各種部品の信頼性及び、ＣＲＴからのＸ線出力を防止することが出来るテレビジョン受信機の高圧安定化装置を常に実現することができる。
【００２３】
（実施の形態３）
図３は、本発明の一実施の形態におけるテレビジョン受信機の高圧安定化装置のブロック構成図である。
【００２４】
図３において、符号１は高圧ドライブ装置である。符号２は高圧出力トランジスタである。符号３はダンパーダイオードである。符号４は共振コンデンサである。符号５は高圧安定化用コンデンサである。符号６は高圧安定化制御装置である。符号７は高圧パラレルチョークトランスである。符号８はフライバックトランス（ＦＢＴ）である。符号９は高圧コンデンサである。符号１０は高圧変動検出用上側抵抗である。符号１１は高圧変動検出用下側抵抗である。符号１２は周波数特性コントロールコンデンサである。符号１３はインピーダンス変換装置である。符号１４は高圧値調整装置である。符号１５は誤差検出装置である。符号１６は基準電源装置である。符号１８は高圧安定化制御装置駆動装置である。符号１９は電源ＯＮタイミング監視装置である。２１は高圧値調整装置コントロール装置である。次に図３を用いてその動作を説明する。
【００２５】
高圧出力トランジスタ２のスイッチング機能を利用し、共振コンデンサ４とＦＢＴ１次側Ｌ値および、高圧パラレルチョークトランス７との共振で、フライバックパルスを作り出し、ＦＢＴ２次側へエネルギーを供給し、ＣＲＴに必要な高圧電圧を作り出している。
【００２６】
高圧の負荷変動による、高圧の増減を安定にするため、高圧変動検出用上側抵抗１０と、高圧変動検出用下側抵抗１１との中点から取り出し、インピーダンス変換装置１３入力する。その際、高圧コンデンサ９×高圧変動検出用上側抵抗１０＝周波数特性コントロールコンデンサ１２×高圧変動検出用下側抵抗１１の状態が、周波数に依存する事なく、高圧変動に同期した検出電圧を取り出す事が出来るが、高圧コンデンサ９、高圧変動検出用上側抵抗１０、周波数特性コントロールコンデンサ１２、高圧変動検出用下側抵抗１１の部品ばらつきにより、高圧コンデンサ９×高圧変動検出用上側抵抗１０＜周波数特性コントロールコンデンサ１２×高圧変動検出用下側抵抗１１の状態になると、テレビセットの電源ＯＮ時に、高圧値が急激に上昇し、各種部品のスペックをオーバーし、破壊に至り、ＣＲＴのＸ線リミットカーブをオーバーしてしまうという問題点が発生する。
【００２７】
つぎに、インピーダンス変換装置１３からの出力は、ＣＲＴスペックの高圧値に調整されるべく、高圧調整装置１４に入力され、ＣＲＴスペックの高圧値になる電圧を出力し、誤差検出装置１５に入力する。
【００２８】
基準電源装置１６の電圧と高圧値調整装置１４からの出力電圧とを、誤差検出装置１５で、比較し、差電圧を増幅し、高圧安定化制御装置駆動装置１８に入力し、上記装置によって、高圧安定化装置６が働き、高圧安定化用コンデンサ５に流れる電流を制御し、常に、ＣＲＴスペックの高圧値になるよう、高圧安定化ループが働く。しかしながら、テレビセットの電源ＯＮ時においては、電源ＯＮタイミング監視装置１９によって、テレビセットの電源ＯＮを監視しており、電源ＯＮによって、電源ＯＮタイミング監視装置１９より、電源ＯＮ信号が出力され、高圧調整装置コントロール装置２１に入力される。
【００２９】
高圧調整装置コントロール装置２１は、電源ＯＮ信号が入力されると、高圧安定化ループが働く前に、基準電源装置１６の基準電圧より、高い電圧を出力するよう高圧値調整装置１４をコントロールし高圧値調整装置１４は、基準電源装置１６の基準電圧より、高い電圧を出力する。
誤差検出装置１５は、高圧値調整装置１４から出力される電圧と、基準電源装置１６から出力される基準電圧と比較し、高圧値調整装置１４から出力される電圧が、高圧調整装置コントロール装置２１によりコントロールされた高い電圧であるため、高圧が高い状態だと認識し、高圧安定化制御装置駆動装置１８に高圧を減少させる電圧を入力し、高圧値が急激に上昇するのを防ぐ。
【００３０】
上記システムのような、電源ＯＮ時のシーケンスを行うことにより、高圧コンデンサ９、高圧変動検出用上側抵抗１０、周波数特性コントロールコンデンサ１２、高圧変動検出用下側抵抗１１の部品ばらつきにより、テレビセットの電源ＯＮ時に、高圧値が急激に上昇し、各種部品のスペックをオーバーし、破壊に至り、ＣＲＴのＸ線リミットカーブをオーバーしてしまうことがなく、高圧負荷変動に同期した検出波形を得る事が出来、かつ、電源ＯＮ時に、高圧調整値以上の急激な高圧上昇を防ぎ、各種部品の信頼性及び、ＣＲＴからのＸ線出力を防止することが出来るテレビジョン受信機の高圧安定化装置を常に実現することができる。
【００３１】
【発明の効果】
以上のように、本発明によれば、高圧安定化装置を持つテレビジョン受信機において、高圧負荷変動に同期した検出波形を得る事が出来、かつ、電源ＯＮ時に、高圧調整値以上の急激な高圧上昇を防ぎ、各種部品の信頼性及び、ＣＲＴからのＸ線出力を防止することが出来るテレビジョン受信機の高圧安定化装置を提供できる。
【図面の簡単な説明】
【図１】本発明の実施の形態１におけるテレビジョン受信機の高圧発生装置及び、高圧安定化装置のブロック構成図
【図２】本発明の実施の形態２におけるテレビジョン受信機の高圧発生装置及び、高圧安定化装置のブロック構成図
【図３】本発明の実施の形態３におけるテレビジョン受信機の高圧発生装置及び、高圧安定化装置のブロック構成図
【符号の説明】
１  高圧ドライブ装置
２  高圧出力トランジスタ
３  ダンパーダイオード
４  共振コンデンサ
５  高圧安定化用コンデンサ
６  高圧安定化制御装置
７  高圧パラレルチョークトランス
８  フライバックトランス（ＦＢＴ）
９  高圧コンデンサ
１０  高圧変動検出用上側抵抗
１１  高圧変動検出用下側抵抗
１２  周波数特性コントロールコンデンサ
１３  インピーダンス変換装置
１４  高圧値調整装置
１５  誤差検出装置
１６  基準電源装置
１７  誤差電圧信号監視装置
１８  高圧安定化制御装置駆動装置
１９  電源ＯＮタイミング監視装置
２０  可変基準電源装置
２１  高圧値調整装置コントロール装置
【図１】
0004013357.tif 000002
【図２】
0004013357.tif 000003
【図３】
0004013357.tif 000004